(57)【特許請求の範囲】
【請求項１】
複数の通信端末装置が接続された通信網における通信端末装置間のシグナリング中継システムであって、シグナリング中継装置およびデータ変換装置を含み構成され、前記シグナリング中継装置は、セッション確立要求メッセージ中継時に発信端末と着信端末の能力不一致を検出した場合に対応して、前記発信端末および着信端末それぞれの能力情報を前記データ変換装置に通知し、前記発信端末と前記データ変換装置との間は前記発信端末の能力情報に従い、前記データ変換装置と前記着信端末との間は前記着信端末の能力情報に従うことでデータ変換装置を経由する二段階セッションを確立することを特徴とするシグナリング中継システム。
【請求項２】
前記データ変換装置は、前記シグナリング中継装置からの通知に基づいて、前記発信端末が送信したデータを前記着信端末が受信可能なデータに変換して着信端末に転送し、また、着信端末が送信したデータを発信端末が受信可能なデータに変換して発信端末に転送することを特徴とする請求項１に記載のシグナリング中継システム。
【請求項３】
前記シグナリング中継装置は、前記着信端末から能力不一致を表すエラー応答メッセージを受信したことにより、双方の端末装置間の能力不一致を検出して、検出に対応する前記各処理を行うことを特徴とする請求項１または請求項２に記載のシグナリング中継システム。
【請求項４】
前記データ変換装置は、アドレス変換装置である請求項１〜３のいずれか１項に記載のシグナリング中継システム。
【請求項５】
前記シグナリング中継装置は、ＳＩＰプロキシサーバであり、前記データ変換装置は、マルチメディアデータの符号化方式を変換するトランスコーダである、請求項１〜３のいずれか１項に記載のシグナリング中継システム。
【請求項６】
前記シグナリング中継装置が、着信端末から能力不一致を表すエラー応答メッセージを受信した場合に、当該送信端末に能力問い合わせ要求メッセージを送信して着信端末の具体的な能力情報を取得することを特徴とする請求項５に記載のシグナリング中継システム。
【請求項７】
複数の端末とシグナリング中継装置とデータ変換装置とを含み構成されたシグナリング中継システムにおいて、
中継装置が、発信端末のセッション確立要求メッセージを着信端末に転送し、
当該着信端末からセッション確立拒否の応答メッセージを受けた場合に、
前記データ変換装置に前記発信端末の能力情報とアドレス、および前記着信端末の能力情報とアドレスを通知し、
前記発信端末からのセッション確立要求メッセージと前記データ変換装置の能力情報に基づいて前記着信端末に適合したセッション確立要求メッセージを生成して前記着信端末に対して再度送信し、
前記着信端末からのセッション確立許容の応答メッセージと前記データ変換装置の能力情報に基づいて、前記発信端末に適合したセッション確立許容の応答メッセージを生成して前記発信端末に対して送信する、
ことを特徴とするシグナリング中継方法。
【請求項８】
前記シグナリング中継装置が、着信端末から能力不一致を表すエラー応答メッセージを受信したことにより、双方の端末装置間の能力不一致を検出して、検出に対応する前記各対応処理を行うことを特徴とする請求項７に記載のシグナリング中継方法。
【請求項９】
前記シグナリング中継装置が、着信端末から能力不一致を表すエラー応答メッセージを受信した場合に、当該送信端末に能力問い合わせ要求メッセージを送信して着信端末の具体的な能力情報を取得することを特徴とする請求項７に記載のシグナリング中継方法。
【発明の詳細な説明】
【０００１】
【発明の属する技術分野】
本発明は複数の通信端末装置が接続された通信網における通信端末装置間のシグナリング中継システムに関し、能力に違いのある発信端末と着信端末間の通信を可能にするデータ変換装置を含み構成されたシグナリング中継システムおよびシグナリング中継方法に関する。
【０００２】
【従来の技術】
パケット交換網におけるマルチメディアセッションの確立では、端末間で交換されるシグナリングメッセージの中に、各端末の能力情報を入れて、相手に通知する。たとえば、ＩＴＵ−Ｔ（Ｉｎｔｅｒｎａｔｉｏｎａｌ  Ｔｅｌｅｃｏｍ  Ｕｎｉｏｎ）勧告Ｈ．３２３  は、マルチメディア通信に関するさまざまな要素を規定しており、呼制御のシグナリングを規定するＨ．２２５．０、通信を行うマルチメディアデータの種類を記述するためのＨ．２４５、動画の圧縮方法を規定するＨ．２６３、音声データの記述法を規定するＧ．７１１，  Ｇ．７２３．１，  Ｇ．７２９  などの規格が含まれている。ＩＴＵ−Ｔ  勧告Ｈ．３２３  に基づくセッション確立では、ＩＴＵ−Ｔ  勧告Ｈ．２４５  で定義されるメッセージで能力情報を通知する。また、ＲＦＣ  （Ｒｅｑｕｅｓｔ  Ｆｏｒ  Ｃｏｍｍｅｎｔ）２５４３  で規定されるＳＩＰ  （Ｓｅｓｓｉｏｎ  Ｉｎｉｔｉａｔｉｏｎ  Ｐｒｏｔｏｃｏｌ）  では、ＲＦＣ  ２３２７で規定されるＳＤＰ  （Ｓｅｓｓｉｏｎ  Ｄｅｓｃｒｉｐｔｉｏｎ  Ｐｒｏｔｏｃｏｌ）を用いて能力情報を通知する。能力情報としては、たとえば端末が使用可能な符号化方式（  コーデック）  の種別などがある。
【０００３】
シグナリングメッセージは、端末間で直接交換されることもあるが、多くの場合、間にシグナリング中継装置を置き、発信端末はシグナリング中継装置にメッセージを送り、シグナリング中継装置がそれを着側端末に転送する。シグナリング中継装置としては、たとえばＨ．３２３  のゲートキーパーやＳＩＰ  のプロキシサーバがある。
【０００４】
図６に、ＳＩＰ  の場合を例に基本的なシグナリングのシーケンスを示す。着信端末は、受信したＩＮＶＩＴＥメッセージで示される発信端末の能力情報を自分の能力と比較し、一致する場合にセッションを確立して通信を行うことが可能となる。図６  の（ａ）  では、発信端末も着信端末もＧ．７１１  を使用可能な場合を示しており、発信端末からのＩＮＶＩＴＥメッセージに対して、着信端末は２００  ＯＫ応答メッセージを返して、セッション確立が完了している。
【０００５】
しかし、着信端末が、受信したＩＮＶＩＴＥメッセージで示される発信端末の能力情報を自分の能力と比較した結果、一致しない場合は直接通信を行うことができないため、エラー応答メッセージを発信端末に返す。図６  の（ｂ）  はこのような場合を示しており、発信端末はＧ．７１１  を使用するが着信端末はＧ．７２９  のみを使用できるため、ＩＮＶＩＴＥメッセージに対してセッション確立要求を受け入れられないことを示す６０６  Ｎｏｔ  Ａｃｃｅｐｔａｂｌｅ応答メッセージを返している。
【０００６】
このような場合に能力の異なる端末同士が通信を行うためには、送信端末から送られるマルチメディアデータを受信端末が処理可能なデータに変換するデータ変換装置を使用し、二段階のセッションを確立することにより、端末間の通信を行う方法がある。その他、端末間でアドレス方式の相違がある場合にも着信側端末は６０６  Ｎｏｔ  Ａｃｃｅｐｔａｂｌｅ応答メッセージを返すため、受信端末が処理可能なデータに変換するデータ変換装置を使用し、二段階のセッションを確立する必要がある。この種のデータ変換装置としては、たとえばマルチメディアデータの符号化方式を変換するトランスコーダや、アドレスを変換するアドレス変換装置が挙げられる。このような二段階のセッションを確立するためには、発信端末とデータ変換装置の間でセッションを確立するとともに、データ変換装置と着信端末の間でもセッションを確立する必要がある。
【０００７】
従来のシグナリング中継装置では、着側端末からのエラー応答メッセージはそのまま発側端末に返される。従って、発信端末がデータ変換装置とセッションを確立するためには、発信端末自身がデータ変換装置の情報を管理するか、ネットワーク中の別のサーバからデータ変換装置の情報を取得するなどの処理が必要である。また、発信端末は、データ変換装置と着信端末の間のセッションを確立させるために、データ変換装置に着信端末の情報を送って、データ変換装置から着信端末に対してセッション確立要求メッセージを送信するか、着信端末にデータ変換装置の情報を送って、着信端末からデータ変換装置に対してセッション確立要求メッセージを送信する必要がある。このように、従来のシグナリング中継システムでは、能力の異なる端末間の通信に際し、端末装置の処理負荷が大きいという問題点があった。
【０００８】
【発明が解決しようとする課題】
本発明は、上述の問題点を解決するもので、能力の異なる端末間でも端末がデータ変換装置を意識したシグナリング処理を行うことなくセッションを確立して通信を行うことができ、端末の負荷を低減化することができるシグナリング中継装置および方法を提供することを目的とする。
【０００９】
【課題を解決するための手段】
課題解決のため、請求項１に係る発明では、複数の通信端末装置が接続された通信網における通信端末装置間のシグナリング中継システムにおいて、シグナリング中継装置およびデータ変換装置を備えた構成とし、前記シグナリング中継装置は、セッション確立要求メッセージ中継時に発信端末と着信端末の能力不一致を検出した場合に対応して、前記発信端末および着信端末それぞれの能力情報を前記データ変換装置に通知し、前記発信端末と前記データ変換装置との間は前記発信端末の能力情報に従い、前記データ変換装置と前記着信端末との間は前記着信端末の能力情報に従うことでデータ変換装置を経由する二段階セッションを確立するようにする。
【００１０】
請求項２に係る発明では、請求項１に記載のシグナリング中継システムにおいて、前記データ変換装置は、前記シグナリング中継装置からの通知に基づいて、前記発信端末が送信したデータを前記着信端末が受信可能なデータに変換して着信端末に転送し、また、着信端末が送信したデータを発信端末が受信可能なデータに変換して発信端末に転送する。
【００１１】
請求項３に係る発明は、請求項１または請求項２に記載のシグナリング中継システムにおいて、前記シグナリング中継装置は、前記着信端末装置から能力不一致を表すエラー応答メッセージを受信したことにより、双方の端末装置間の能力不一致を検出して、検出に対応する前記各処理を行うようにする。
【００１２】
請求項４に係る発明では、データ変換装置は、アドレス変換装置である。また、請求項５に係る発明では前記シグナリング中継装置はＳＩＰプロキシサーバであり、前記データ変換装置はマルチメディアデータの符号化方式を変換するトランスコーダである。
テム。
【００１３】
請求項６の発明では、請求項５に記載のシグナリング中継システムにおいて、前記シグナリング中継装置が、着信端末装置から能力不一致を表すエラー応答メッセージを受信した場合に、当該送信端末装置に能力問い合わせ要求メッセージを送信して着信端末の具体的な能力情報を取得する。
【００１４】
請求項７の発明方法では、複数の端末とシグナリング中継装置とデータ変換装置とを含み構成されたシグナリング中継システムにおいて、中継装置が、発信端末のセッション確立要求メッセージを着信端末に転送し、当該着信端末からセッション確立拒否の応答メッセージを受けた場合には、前記データ変換装置に前記発信端末の能力情報とアドレス、および前記着信端末の能力情報とアドレスを通知し、前記発信端末からのセッション確立要求メッセージと前記データ変換装置の能力情報に基づいて前記着信端末に適合したセッション確立要求メッセージを生成して前記着信端末に対して再度送信し、前記着信端末からのセッション確立許容の応答メッセージと前記データ変換装置の能力情報に基づいて、前記発信端末に適合したセッション確立許容の応答メッセージを生成して前記発信端末に対して送信するようにする。
【００１５】
請求項８の発明では、請求項７に記載のシグナリング中継方法において、前記シグナリング中継装置が、着信端末装置から能力不一致を表すエラー応答メッセージを受信したことにより、双方の端末装置間の能力不一致を検出して、検出に対応する前記各対応処理を行うようにする。
【００１６】
請求項９の発明は、請求項７に記載のシグナリング中継方法において、前記シグナリング中継装置が、着信端末装置から能力不一致を表すエラー応答メッセージを受信した場合に、当該送信端末装置に能力問い合わせ要求メッセージを送信して着信端末の具体的な能力情報を取得するようにことを特徴とする。
【００１７】
【発明の実施の形態】
本発明は、Ｈ．３２３  やＳＩＰ  などのマルチメディアセッション確立において、発信端末と着信端末の能力、たとえば使用可能な符号化方式などが一致しない場合に、シグナリングメッセージを中継するシグナリング中継装置（Ｈ．３２３  ゲートキーパーやＳＩＰプロキシサーバ等）が、端末間で転送されるマルチメディアデータを途中で変換する、たとえば符号化変換を行うトランスコーダ等のデータ変換装置を用いた二段階のセッションを自動的に確立するためのシグナリング処理を行うことにより、端末にデータ変換装置の存在を意識させることなく、能力の異なる端末間の通信を可能にすることを特徴としている。
【００１８】
図１は、本発明が適用されるシグナリング中継システムの原理的構成図を示す。図中の、１はシグナリング中継装置、２はデータ変換装置、３は発信端末、４は着信端末、１１〜１４は端末間を流れるマルチメディアデータ、２１〜２４は端末間で交換されるセッション確立のためのシグナリングメッセージ、３１はシグナリング中継装置からデータ変換装置を設定するために送られるメッセージを表す。
【００１９】
図１において、シグナリング中継装置１は、発信端末３と着信端末４の能力が異なることを検出した場合に、双方の端末の能力情報を表すメッセージ３１をデータ変換装置２に送信する。
【００２０】
データ変換装置２は、この情報に基づいて、発信端末３が送信したデータ１１を着信端末４が受信可能なデータ１２に変換して着信端末４に転送、また着信端末４が送信したデータ１３を発信端末３が受信可能なデータ１４に変換して発信端末３に転送する。
【００２１】
また、シグナリング中継装置１は、発信端末３から送信されたセッション確立要求メッセージ２１に対して、そのメッセージに含まれる発信端末３の能力情報をデータ変換装置２の能力情報に変更し、そのメッセージ２２を着信端末４に転送する。さらに、シグナリング中継装置１は、着信端末４から送信されたセッション確立応答メッセージ２３に含まれる着信端末４の能力情報をデータ変換装置２の能力情報に変更し、そのメッセージ２４を発信端末３に転送する。
【００２２】
図１に示す実施の形態における動作を説明する。図１において、発信端末３が送信したセッション確立要求メッセージ２１は、シグナリング中継装置１を経由して、着信端末４に転送される。また、着信端末４が送信したセッション確立応答メッセージ２３は、シグナリング中継装置１を経由して、発信端末３に転送される。
【００２３】
発信端末３では、自分が使用可能な符号化方式やアドレス体系などの能力を前記セッション確立要求メッセージ２１中に記述して、シグナリング中継装置１  に送信する。シグナリング中継装置１  は、これをそのまま着信端末４  に転送する（セッション確立要求メッセージ２１中の能力情報は変更しない）。着信端末４  は、受け取ったセッション確立要求メッセージ２１中の能力情報を自分の能力と比較する。比較の結果、能力が一致しない場合には、セッション確立を拒否する応答メッセージを返す（一致する場合には許容の応答メッセージを返す）。
【００２４】
シグナリング中継装置１は、着信端末４  から返ってきた応答メッセージのエラーの内容から、端末間の能力が異なるためにセッション確立に失敗したことを検出する。そこで、シグナリング中継装置１は、データ変換装置２を経由した二段階のセッションを端末間で確立するために、双方の端末の能力情報を通知するメッセージ３１をデータ変換装置２に送信する。なお、シグナリング中継装置１は、あらかじめデータ変換装置２の変換能力については把握しているものとする。
【００２５】
それと同時に、シグナリング中継装置１は、発信端末３から送信された元々のセッション確立要求メッセージ２１に対して、そのメッセージに含まれる発信端末３  の能力情報をデータ変換装置２の能力情報に変更し、この変更されたメッセージ２２を着信端末４  に送信しなおす。着信端末４は、同メッセージ２２に記述されたデータ変換装置２の能力情報が自分の能力と一致することから、セッション確立要求を受け入れ、それに基づいて、セッションの初期化を行い、セッション確立応答メッセージ２３をシグナリング中継装置に返す。
【００２６】
シグナリング中継装置１  は、着信端末４  から受け取ったセッション確立応答メッセージ２３の中に含まれる着信端末４  の能力情報を、データ変換装置２  の能力情報に変更し、この変更されたメッセージ２４を発信端末３  に転送する。発信端末３  は、受け取ったメッセージ２４中のデータ変換装置２  の能力情報に基づいて、セッションの初期化を行う。
【００２７】
データ変換装置２  は、中継シグナリング中継装置からの前記情報に基づいて、発信端末３  が送信したデータ１１を着信端末４  が受信可能なデータ１２に変換して、着信端末４  に転送し、また、着信端末４  が送信したデータ１３を発信端末３  が受信可能なデータ１４に変換して、発信端末３  に転送するようになる。
【００２８】
〔第１実施例〕以下、実施例を挙げ図面を参照して本発明をより詳細に説明する。図２に、本発明をＲＦＣ  ２５４３で規定されるＳＩＰ  （Ｓｅｓｓｉｏｎ  Ｉｎｉｔｉａｔｉｏｎ  Ｐｒｏｔｏｃｏｌ）  に適用した第１実施例のシグナリング中継システムのシステム構成図を示す。図中の、１Ａはシグナリング中継装置としてのＳＩＰ  のシグナリングメッセージを中継するＳＩＰプロキシサーバ、２  Ａはデータ変換装置としてのマルチメディアデータの符号化方式を変換するトランスコーダである。ＳＩＰプロキシサーバ１Ａとトランスコーダ２Ａの間では、ＩＴＵ−Ｔ  勧告Ｈ．２４８  で定義されるゲートウェイ制御メッセージ３１を用いて情報交換が行われる。
【００２９】
図２  において、発信端末３Ａは音声符号化方式としてＧ．７１１  のみを、着信端末４ＡはＧ．７２９  のみを使用する。トランスコーダ２Ａは、発信端末３Ａから送信されるＧ．７１１  の音声データをＧ．７２９  に変換して、着信端末４Ａに転送する。また、着信端末４Ａから送信されるＧ．７２９  の音声データをＧ．７１１  に変換して、発信端末３Ａに転送する。
【００３０】
次に、図２と図３を用いて、本発明をＳＩＰプロキシサーバに適用した本実施例の動作について説明する。図３は、図２のシステムにおけるＳＩＰ  のシグナリングメッセージの流れを表すメッセージシーケンスチャートである。
【００３１】
発信端末３Ａは、セッション確立を要求するために、ＩＮＶＩＴＥメッセージを送信する。ＩＮＶＩＴＥメッセージは、ＳＩＰプロキシサーバ１Ａを経由して、着信端末４Ａに転送される。このＩＮＶＩＴＥメッセージ中には、ＲＦＣ  ２３２７で規定されるＳＤＰ  （Ｓｅｓｓｉｏｎ  Ｄｅｓｃｒｉｐｔｉｏｎ  Ｐｒｏｔｏｃｏｌ）で記述される発信端末の能力情報が含まれている。発信端末はＧ．７１１  を使用するため、符号化方式としてＧ．７１１  が記述されている。
【００３２】
ＳＩＰプロキシサーバ１Ａは、最初は、ＩＮＶＩＴＥメッセージ中のＳＤＰ  部分は変更せずに、メッセージを着信端末４Ａに転送する。着信端末４Ａは、ＩＮＶＩＴＥメッセージ中のＳＤＰ  で示される発信端末３Ａの符号化方式Ｇ．７１１  を自分が使用可能な符号化方式Ｇ．７２９  と比較するが、一致しないのでＩＮＶＩＴＥ要求を受け付けられないことを表す６０６  Ｎｏｔ  Ａｃｃｅｐｔａｂｌｅ応答メッセージを返す。
【００３３】
このメッセージを受け取ったＳＩＰプロキシサーバ１Ａは、両端末間で能力が異なることを検出するが、具体的にどのような能力が異なっているかは分からない。そこで、着信端末の具体的な能力情報を取得するために、ＯＰＴＩＯＮＳ  メッセージを着信端末４Ａに送信する。
【００３４】
着信端末４Ａは、ＯＰＴＩＯＮＳ  メッセージに対して、自分自身が使用可能な符号化方式の種別などの能力情報を含む２００  ＯＫ応答メッセージを、ＳＩＰプロキシサーバ１Ａに返す。ＳＩＰプロキシサーバ１Ａは、この応答メッセージ中のＳＤＰ  で表される着信端末の能力情報から、符号化方式が一致していないことを知り、トランスコーダ２Ａを用いた二段階セッションを確立するための処理を行う。
【００３５】
すなわち、まず、ＳＩＰプロキシサーバ１Ａはトランスコーダ２Ａに対して、発信端末３Ａのアドレスと発信端末の符号化方式Ｇ．７１１  、および着信端末４Ａの符号化方式Ｇ．７２９  を通知し、その応答としてトランスコーダ２Ａのアドレスを取得する。そして、トランスコーダ２Ａのアドレスと符号化方式としてＧ．７２９  を指定したＩＮＶＩＴＥメッセージを生成して、着信端末４Ａに送る。着信端末４Ａは、指定された符号化方式Ｇ．７２９  を使用することができることから、自分のアドレスを含む２００  ＯＫメッセージをＳＩＰプロキシサーバ１Ａに返す。
【００３６】
ＳＩＰプロキシサーバ１Ａは、受け取った２００  ＯＫメッセージ中の着信端末４Ａのアドレスを前記トランスコーダ２Ａに通知する。最終的に、ＳＩＰプロキシサーバ１Ａは、トランスコーダ２Ａのアドレスを含み、符号化方式としてＧ．７１１  を指定した２００  ＯＫメッセージを、発信端末３Ａに返す。
【００３７】
これに応じて、発信端末３ＡはＧ．７１１  の音声データをトランスコーダ２Ａに対して送信する。トランスコーダ２Ａは、受信したＧ．７１１  の音声データをＧ．７２９  に変換して、着信端末４Ａに転送する。一方、着信端末４ＡはＧ．７２９  の音声データをトランスコーダ２Ａに対して送信する。トランスコーダ２Ａは、着信端末４Ａから受信したＧ．７２９  の音声データをＧ．７１１  に変換して、発信端末３Ａに転送する。以上のようにして発信端末３Ａと着信端末４Ａ間の通信がトランスコーダ２Ａを介して行われる。
【００３８】
本実施例によれば、端末がデータ変換装置（トランスコーダ）を意識してシグナリング処理を行うことなく、能力の異なる端末との間でセッションを確立して通信を行うことができ、従って端末の負荷を低減化することができる。
【００３９】
〔第２実施例〕次に、本発明の第２の実施例について説明する。前第１実施例では、符号化方式などの能力の相違を補う方法を示したが、アドレス方式の違いを補う方法としても、本発明を適用することができる。図４は、実施例のシステム構成図を示す。本実施例は、ＩＰ  （Ｉｎｔｅｒｎｅｔ  Ｐｒｏｔｏｃｏｌ）バージョン４  （以下、ＩＰｖ４と記す）のみを使用可能な端末と、ＩＰ  （Ｉｎｔｅｒｎｅｔ  Ｐｒｏｔｏｃｏｌ）バージョン６  （以下、ＩＰｖ６と記す）のみを使用可能な端末とが通信をする場合で、間にＩＰｖ４のパケットをＩＰｖ６のパケットに変換するアドレス変換装置を介した二段階セッションを確立する。
【００４０】
図中の１Ｂはシグナリング中継装置としてのＳＩＰ  のシグナリングメッセージを中継するＳＩＰプロキシサーバ（アドレス方式：ＩＰｖ４）である。発信端末３ＢはＩＰｖ４のみで通信可能な端末である。一方、着信端末は、ＳＩＰ  のシグナリングメッセージをＩＰｖ４で送受信するノード４Ｂと、マルチメディアデータをＩＰｖ６で送受信するノード５に分離されており、間にアドレス変換装置６を置いて、通信を行う。シグナリングメッセージを処理するＩＰｖ４ノード：４ＢをＭＧＣ  （Ｍｅｄｉａ  Ｇａｔｅｗａｙ  Ｃｏｎｔｒｏｌｌｅｒ）  、マルチメディアデータを処理するＩＰｖ６ノード：５をＭＧ  （Ｍｅｄｉａ  Ｇａｔｅｗａｙ）と呼ぶ。
【００４１】
前記ノード４Ｂ（ＭＧＣ）とノード５（ＭＧ）の間は、ＩＴＵ−Ｔ  勧告Ｈ．２４８  で定義されるメッセージで、アドレス変換装置６を介して通信が行われる。また、発信端末３ＢとＭＧ５の間のマルチメディアデータは、データ変換装置としてのアドレス変換装置２Ｂを介して転送される。
【００４２】
図５は、本実施例におけるＳＩＰ  シグナリングメッセージの流れを示すメッセージシーケンスチャートである。発信端末３Ｂから送信されたＩＮＶＩＴＥメッセージは、ＳＩＰプロキシサーバ１Ｂを経由して、ＩＰｖ４パケットとしてＭＧＣ：４Ｂに転送される。ＩＮＶＩＴＥメッセージを受信したＭＧＣ：４Ｂはメッセージ中の発信端末のアドレスがＩＰｖ４であることから、ＩＰｖ６のみ使用可能なＭＧ：５とは通信できないため、６０６  Ｎｏｔ  Ａｃｃｅｐｔａｂｌｅ応答メッセージを返す。
【００４３】
この応答メッセージを受け取ったＳＩＰプロキシサーバ１Ｂは、前実施例と同様に、ＯＰＴＩＯＮＳ  メッセージを着信ＭＧＣ：４Ｂに送り、その応答から着信端末であるＭＧ：５がＩＰｖ６対応であることを検出する。そこで、ＳＩＰプロキシサーバ１Ｂは、アドレス変換装置２Ｂに対して、発信端末３ＢのＩＰｖ４アドレスを含むメッセージを送り、アドレス変換装置の設定を行う。その応答として、アドレス変換装置２Ｂは、自装置のＩＰｖ４アドレスとＩＰｖ６アドレスをＳＩＰプロキシサーバ１Ｂに返す。
【００４４】
次に、ＳＩＰプロキシサーバ１Ｂは、アドレス変換装置２ＢのＩＰｖ６アドレスを含むＩＮＶＩＴＥメッセージをＭＧＣ：４Ｂに送信する。ＭＧＣ：４Ｂは、発信端末のアドレスがＩＰｖ６であることから、ＭＧ：５との通信が可能であると認識して、セッション確立を受け付ける２００  ＯＫ応答メッセージを返す。ＭＧＣ：４Ｂからの応答メッセージを受信すると、ＳＩＰプロキシサーバ１ＢはＭＧのＩＰｖ６アドレスをアドレス変換装置２Ｂに送る。その後、応答メッセージ中のＩＰｖ６アドレスをアドレス変換装置２ＢのＩＰｖ４アドレスに変更して、発信端末３Ｂに転送する。
【００４５】
これにより、発信端末３Ｂはマルチメディアデータをアドレス変換装置２ＢのＩＰｖ４アドレスに対して送信する。アドレス変換装置２Ｂは、これをＩＰｖ６パケットに変換し、ＭＧ：５のＩＰｖ６アドレスに対して送信する。一方、ＭＧ：５は、アドレス変換装置２のＩＰｖ６アドレスに対してデータを送信し、アドレス変換装置２ＢがこれをＩＰｖ４パケットに変換し、発信端末３Ｂに転送する。
【００４６】
本実施例においても、端末がデータ変換装置を意識してシグナリング処理を行うことなく、アドレス方式の異なる端末間でセッションを確立して通信を行うことができ、端末の負荷を低減化することができる。
【００４７】
本発明に係るメッセージ中継方法では、上述した如くにシグナリング中継装置とデータ変換装置とを含み構成されたシグナリング中継システムにおいて、シグナリング中継装置が、発信端末のセッション確立要求メッセージをまず着信端末に転送し、当該着信端末からセッション確立拒否の応答メッセージを受けた場合には、前記データ変換装置に発信端末の能力情報とアドレス、および着信端末の能力情報とアドレスを通知し、前記発信端末からのセッション確立要求メッセージと前記データ変換装置の能力情報に基づいて前記着信端末に適合したセッション確立要求メッセージを生成して前記着信端末に対して再度送信し、前記着信端末からのセッション確立許容の応答メッセージと前記データ変換装置の能力情報に基づいて、前記発信端末に適合したセッション確立許容の応答メッセージを生成して前記発信端末に対して送信する。なお、着信端末からセッション確立許容の応答メッセージを受けた場合には、同メッセージを発信端末へと転送して以降の前記発信端末と着信端末間の通信を中継する。
【００４８】
【発明の効果】
本発明によれば、端末がデータ変換装置を意識してシグナリング処理を行うことなく、能力の異なる端末間あるいは扱うアドレス方式の異なる端末間でセッションを確立して通信を行うことができ、端末の負荷を低減化することができる。
【図面の簡単な説明】
【図１】本発明が適用されるシグナリング中継システムの原理的構成図である。
【図２】本発明第１実施例のシグナリング中継システムのシステム構成図である。
【図３】第１実施例におけるＳＩＰ  のシグナリングメッセージの流れを表すメッセージシーケンスチャートである。
【図４】本発明第２実施例のシグナリング中継システムのシステム構成図である。
【図５】第２実施例におけるＳＩＰ  のシグナリングメッセージの流れを表すメッセージシーケンスチャートである。
【図６】従来のシグナリング中継における、ＳＩＰ  の場合の基本的なシグナリングのシーケンスを示す説明図である。
【符号の説明】
１…シグナリング中継装置
１Ａ，１Ｂ…ＳＩＰプロキシサーバ（シグナリング中継装置）
２…データ変換装置
２Ａ…トランスコーダ（データ変換装置）
２Ｂ…アドレス変換装置（データ変換装置）
３，３Ａ，３Ｂ…発信端末
４，４Ａ…着信端末
４Ｂ…着信ＭＧＣ
５…ＭＧ
６…アドレス変換装置
【図１】
0003633546.tif 000002
【図２】
0003633546.tif 000003
【図３】
0003633546.tif 000004
【図４】
0003633546.tif 000005
【図５】
0003633546.tif 000006
【図６】
0003633546.tif 000007